(57)【要約】【課題】便器／ビデなどに用いる噴射アセンブリを提供する。【解決手段】かかる噴射アセンブリ３０は、移動可能な噴射部品４０、導引表面８４を有するブラケット８２、及び駆動モジュール６０を含む。駆動モジュール６０は、駆動装置６２及び結合部品６４を含み、結合部品６４は、導引表面８４に結合され、且つ移動可能な噴射部品４０は、駆動モジュール６０及びブラケット８２のうちの少なくとも一つに接続される。【選択図】図３
2013510966.tif 000002
【特許請求の範囲】
【請求項１】
噴射アセンブリであって、
移動可能な噴射部品と、
導引表面を有するブラケットと、
駆動装置及び結合部品を含む駆動モジュールと、
を含み、
前記結合部品は、前記導引表面に結合され、
前記移動可能な噴射部品は、前記駆動モジュール及び前記ブラケットのうちの少なくとも一つに接続される、噴射アセンブリ。
【請求項２】
前記噴射部品は、前記駆動モジュールに固定接続される、請求項１に記載の噴射アセンブリ。
【請求項３】
前記噴射部品は、前記ブラケットに固定接続される、請求項１に記載の噴射アセンブリ。
【請求項４】
前記駆動装置は、モータを含む、請求項１に記載の噴射アセンブリ。
【請求項５】
前記駆動装置は、アクチュエータを含む、請求項１に記載の噴射アセンブリ。
【請求項６】
前記駆動装置は、手動操作による駆動装置を含む、請求項１に記載の噴射アセンブリ。
【請求項７】
前記結合部品は、歯車である、請求項１に記載の噴射アセンブリ。
【請求項８】
前記結合部品は、ピンである、請求項１に記載の噴射アセンブリ。
【請求項９】
前記導引表面は、弓状である、請求項１に記載の噴射アセンブリ。
【請求項１０】
前記導引表面は、歯状である、請求項１に記載の噴射アセンブリ。
【請求項１１】
前記導引表面は、内側へ湾曲するギアバー（gear  bar）である、請求項１に記載の噴射アセンブリ。
【請求項１２】
前記導引表面は、内側へ湾曲する溝である、請求項１に記載の噴射アセンブリ。
【請求項１３】
前記導引表面は、基本的に剛性である、請求項１に記載の噴射アセンブリ。
【請求項１４】
前記駆動モジュール及び前記ブラケットのうちの少なくとも一つは、ビデに固定接続される、請求項１に記載の噴射アセンブリ。
【請求項１５】
前記噴射部品は、弓状の形状を有する、請求項１に記載の噴射アセンブリ。
【請求項１６】
前記噴射部品は、弓状のビデ棒（bidet  wand）である、請求項１に記載の噴射アセンブリ。
【請求項１７】
前記噴射部品は、液体噴射開口及び気体流出開口を含む弓状のビデ棒（bidet  wand）である、請求項１に記載の噴射アセンブリ。
【発明の詳細な説明】
【技術分野】
【０００１】
本発明は、総体的に噴射アセンブリに関し、それは、噴射部品、駆動モジュール及びブラケットモジュールを含む。特に、本発明は、便器／ビデなどに用いる噴射アセンブリに関する。噴射アセンブリは、操作の最大の安定性を有利に表現し、噴射部品がジッター又は滑り（slipping）を有せずに伸縮するようにさせることができる
【背景技術】
【０００２】
噴射アセンブリは、所要な特徴、例えば、噴射部品の伸び出し及び引っ込め（伸縮）、及び、ブラケットモジュールのサイズ及び形状が引っ込め位置に噴射部品を受容できるよう設置されるとのような特徴を有する。このような噴射アセンブリは、魅力があっても、多くの面において改善する必要が依然としてある。例えば、噴射部品を伸び出す又は引っ込めるための駆動モジュールの提供が望ましい。また、ブラケットモジュールの、内側へ湾曲する湾曲部分に結合されてジッター又は滑り（slipping）を最小化することができる駆動モジュールの提供も望ましい。即ち、噴射部品の駆動モジュールを改善し、従来技術の欠点を克服するニーズが存在する。
【０００３】
従来技術における方法は、米国特許No.  5,050,249を含む。この特許は、洗浄ノズルを有する、人のプライベート部分を洗浄するための洗浄装置に関し、この洗浄ノズルは、伸縮可能である。可動ギアバー（gear  bar)が洗浄ノズルの一部に形成され、且つ固定ギアバー（gear  bar)がノズル支持部の表面に形成される。ピニオンが可動ギアバー（gear  bar)及び固定ギアバー（gear  bar)に結合される。モータがピニオンを駆動し回転させ、これにより、洗浄ノズルを移動させる。米国特許No.  6,782,562は、移動可能な噴射管を有する便座洗浄装置を開示している。噴射アームにある駆動ギアバー（gear  bar)が第二ピニオンと結合され、且つ操作装置にある駆動ギアバー（gear  bar)が第一ピニオンと噛み合う。インターロッキング機構が反転ピニオン及び第二ピニオンに接続される。反転ピニオンは、第一ピニオンと噛み合う。この特許は、手動で操作装置を押す又は引くことによってピニオンを回転させることにより、噴射管を伸び出せる又は引っ込めさせることを開示している。
【０００４】
米国特許No.  6,959,459は、水洗トイレの身体洗浄ユニットに関し、そのうち、第一管が回転可能に第二管に接続され、且つ第二管が回転可能に第三管に接続される。駆動器が第二管を回転させることにより、第三管は第二管の軸線に対して回転する。変換器（converter）が、第三管がその軸線に対して回転するようにさせ、これにより、第三管にあるノズルが予備位置と使用位置との間に移動する。この特許は、ユーザがスイッチをオンにした後にノズルの自動操作を開示している。
【０００５】
他の従来技術は、さらに以下の内容を含む。国際公開公報No.  WO/2006/079232は、シャワートイレ（shower  toilet）のシャワーアームに関し、それは、導管に嵌め込まれ且つ導管から伸び出し、該導管は、さらに、ガイドブッシュ（guide  bush）に嵌め込まれ且つガイドブッシュから伸び出す。柔軟性のあるテープがシャワーアームに接続される。モータが歯車を駆動し、この歯車は柔軟性のあるテープの歯状表面と噛み合うので、柔軟性のあるテープは移動し、該移動は、シャワーアーム及び導管の伸び出し及び引っ込めを実現する。日本特願No.  2006-125193は、乾燥機能を有する洗浄便座を開示している。駆動機構が湾曲乾燥ノズルの表面と部分的に噛み合う。湾曲乾燥ノズルは、収納位置と往復運動操作位置との間に移動し、この往復運動操作位置は、空気をユーザに噴射するために用いられる。
【０００６】
これにより、例えばこれらの特許又は特願などにおける従来技術の各種特徴は欠点又は／及び不良の特性、結果又は効果を有することが確定されている。本発明では、これらの問題を認識し解決することにより、今までにない改良を提供する。要するに、本発明は、以下の需要、即ち、噴射部品に接続する駆動モジュールの提供、引っ込め位置と伸び出し位置との間に移動する噴射部品の提供、及び、引っ込め位置に噴射部品を導く及び受容するための固定ブラケット部品の提供というような需要をより全面的に満たすことができる。また、本発明は、ブラケットモジュールの、内側へ湾曲する内側湾曲部を提供し、この内側湾曲は、駆動モジュールと噛み合うことにより、ジッター又は滑りを最小化することができる。
【発明の概要】
【発明が解決しようとする課題】
【０００７】
本発明の目的は、便器／ビデなどに用いる噴射アセンブリを提供することにある。
【課題を解決するための手段】
【０００８】
本発明の実施形態又は一つの側面は、改良された噴射アセンブリに関し、この噴射アセンブリは、噴射部品、駆動モジュール、及びブラケットモジュールを含む。本発明は、伸び出す及び引っ込めることが可能な噴射部品を含む。例えば、引っ込め位置に湾曲のビデ棒（bidet  wand）が収容され、また、ビデの鉢体領域中に伸び出すことにより、液体及び／又は空気をユーザの身体領域に噴射する。
【０００９】
実施形態又は他の側面によれば、噴射部品は、駆動モジュール及びブラケットモジュールのうち少なくとも一つに接続される。噴射部品は、伸び出す又は引っ込める時に、駆動モジュール及び／又はブラケットモジュールにつれて移動する。駆動モジュール又はブラケットモジュールが固定され、これにより、よりコンパクト且つ耐用なアセンブリを得ることができる。
【００１０】
実施形態又はもう一つの側面では、駆動モジュールは、ブラケットモジュールの、内側へ湾曲した内側湾曲表面に結合される。ブラケットモジュールのサイズ及び形状は、引っ込め位置に噴射部品を収納できるように構成される。駆動モジュールは、ブラケットモジュールの内側湾曲表面と結合され、駆動モジュールのジッター及び滑りを最小化することにより、噴射アセンブリのスムーズな移動を実現させる。
【００１１】
本発明の少なくとも一つの実施形態の目的は、噴射アセンブリを提供することにあり、この噴射アセンブリは、移動可能な噴射部品と、導引表面を有するブラケットと、駆動装置及び結合部品を含む駆動モジュールとを含み、そのうち、結合部品は、導引表面に結合され、且つ、そのうち、移動可能な噴射部品は、駆動モジュール及びブラケットのうち少なくとも一つに接続される。
【００１２】
本発明の一つの側面では、噴射部品は、駆動モジュールに固定接続される。本発明の他の側面では、噴射部品は、ブラケットに固定接続される。本発明のもう一つの側面では、駆動装置は、モータである。本発明のまたもう一つの側面では、駆動装置は、アクチュエータである。本発明の更なる側面では、駆動装置は、手動操作駆動装置である。
【００１３】
本発明の一つの側面では、結合部品は、歯車であり、本発明の他の側面では、結合部品は、ピンである。本発明の一つの側面では、導引表面は、弓状である。本発明の他の側面では、導引表面は、歯状である。本発明のもう一つの側面では、導引表面は、内側へ湾曲した内側湾曲ギアバー（gear  bar)である。本発明のまたもう一つの側面では、導引表面は、内側へ湾曲した内側湾曲溝である。本発明の更なる側面では、導引表面は、基本的に、剛性的である。
【００１４】
本発明の一つの側面では、駆動モジュール及びブラケットのうちの少なくとも一つは、ビデに固定接続される。本発明の他の側面では、噴射部品は、弓状の形状を有する。本発明のもう一つの側面では、噴射部品は、弓状のビデ棒である。本発明の更なる側面では、噴射部品は、弓状のビデ棒であり、さらに、液体噴射開口及び気体流出開口を含む。
【図面の簡単な説明】
【００１５】
【図１】ビデの一つの実施形態の透視図である。
【図２】図１に示すビデの一部の透視図である。
【図３】伸び出し位置に噴射部品を有する噴射アセンブリの透視図である。
【図４】引っ込め位置に噴射部品を有する図３に示す噴射アセンブリの上視図である。
【図５】一部の伸び出し位置に噴射部品を有する図３に示す噴射アセンブリの下視図である。
【図６】完全な伸び出し位置に図３に示す噴射アセンブリを有するビデの一部の断面図である。
【図７】完全な引っ込め位置に図３に示す噴射アセンブリを有するビデの一部の断面図である。
【図８】噴射アセンブリの他の実施形態を示す図である。
【図９】噴射アセンブリの他の実施形態を示す図である。
【発明を実施するための形態】
【００１６】
要求に基づいて、ここで本発明の詳細な実施例を記述するが、理解すべきは、ここで開示の実施例は本発明の典型的な例だけであり、本発明は各種の形式で実施され得る。よって、ここで開示の具体的な細部は、限定と解釈され得ず、請求の範囲の基礎とされ、且つ、当業者が任意の適切な方式で本発明を多様に実施できることを示す代表的な基礎とされ得る。
【００１７】
図１及び図２はビデ２０の実施例を示す。図３乃至図５は、３０が付けられる噴射アセンブリの実施例を総体的に示す。噴射アセンブリ３０は、噴射部品４０、駆動モジュール６０、及びブラケットモジュール８０を含む。噴射アセンブリ３０は、噴射部品４０を伸び出す又は引っ込めることができる。例えば、噴射部品４０は、ビデ２０の使用過程において伸び出すことができ、及び、必要のない時に引っ込めて収納され得る。
【００１８】
示されている実施例では、噴射部品４０は、液体出口４２及び気体出口４４を含み、これらは、噴射部品４０に独立した開口を有する。選択可能に、噴射部品４０は、液体出口４２だけを有してもよく、又は、気体出口４４だけを有してもよく、或いは、液体出口４２及び気体出口４４は、同一の出口に位置してもよい。液体出口４２は、噴射液体を提供する。例えば、液体出口４２は、ビデ２０中のユーザ身体（図示せず）の一定の領域に、水による洗浄噴射を提供することができる。気体出口４４は、流動気体を提供する。気体出口４４は、ビデ２０中の例えばユーザ身体の一定の領域に、暖かい流動空気を提供することができる。示されている実施例では、噴射部品４０は、駆動モジュール６０に固定接続される。選択可能に、噴射部品４０は、ブラケットモジュール８０に固定接続されてもよい。また、ニーズに従って、噴射部品４０のサイズ及び形状を設計することができる。例えば、噴射部品４０は、弓状又はまっすぐである。示されている実施例では、噴射部品４０が、縦向き上、上へ突起する弓状であり、これにより、よりコンパクトなビデの筐体を実現することができる。
【００１９】
駆動モジュール６０は、図３の実施例に示すように、駆動装置６２及び結合部品６４を含む。駆動装置６２は、工業標準に符合する任意の駆動装置であってもよく、噴射部品４０を移動させるために用いられる。例えば、駆動装置６２は、モータ、アクチュエータ、又は、クランク、てこ、又は動かす取っ手のような手動装置であってもよい。示されている実施例では、駆動装置６２は、モータである。結合部品６４は、ブラケットモジュール８０に結合される。結合部品６４は、例えば、歯車、アクセル（axel）、又はピンであってもよい。図３に示す実施例では、結合部品６４は、歯車モジュールであり、ベース歯車６６及び結合歯車６８を含む。駆動装置６２は、さらに、駆動歯車７０を含む。駆動歯車７０は、ベース歯車６６に結合され、且つ結合歯車６８は、ブラケットモジュール８０に結合される。選択可能に、例えば、結合部品６４は、駆動歯車７０であってもよく、そのうち、駆動歯車７０は、ブラケットモジュール８０に結合される。示されている実施例では、駆動装置６２及び結合部品６４は、駆動ブラケット７２に取り付けられる。取り付けブラケット７４が、駆動モジュール６０を噴射部品４０に接続する。また、駆動モジュール６０は、例えば、筐体、シェール、又は駆動ブラケット７２により、噴射部品４０に接続することができる。
【００２０】
ブラケットモジュール８０は、ブラケット８２及び導引表面８４を含む。例えば、ブラケットモジュール８０は、装置、もう一つのブラケット又は壁に固定接続される。示されている実施形態では、ブラケットモジュール８０は、ビデ２０に固定接続される。選択可能に、例えば、ブラケットモジュール８０は、移動可能であり、且つ、駆動モジュール６０は、ビデ２０に固定接続されてもよい。ブラケットモジュール８０のサイズ及び形状は、図４に示すように、完全な引っ込め位置に噴射部品４０の少なくとも一部を収納するように設計される。ブラケットモジュール８０のサイズ及び形状を設計することにより、又は、適切な位置に噴射部品４０を駆動モジュール６０又はブラケットモジュール８０に固定接続させることにより、選択可能に、噴射部品４０を完全に引っ込めさせることを防止できる。示されている実施例では、ブラケットモジュール８０は、結合部品６４により結合される導引表面８４を有する。導引表面８４は、ブラケット８２の表面全体、ブラケット８２に接続されるブラケット部品、或いは、溝又は凹溝のようなブラケット８０の経路（pathway）であってもよい。例えば、導引表面８４は、歯状又は滑らかのものであってもよい。図３に示す実施形態では、導引表面８４は、ブラケット８２上のギアバー（gear  bar）に取り付けられる。
【００２１】
図３に示す実施例では、駆動歯車７０は、駆動装置６０により駆動されて回転し、これにより、ベース歯車６６は、相反（countervailing）の方向に回転する。結合歯車６８は、ベース歯車６６と同じ方向に回転する。結合歯車６８は、導引表面８４の歯状表面と結合され、これにより、結合歯車６８は、導引表面８４に沿って移動する。導引表面８４の内側への湾曲は、結合歯車６８が導引表面８４と最適に噛み合うことを実現し、結合歯車６８と導引表面８４との間のジッター及び滑りを最小化することができる。
【００２２】
図７に示す引っ込め位置から噴射部品４０を伸び出すために、駆動装置６２は、例えば、制御器、ボタン、又はスイッチなどの単一の信号源（図示せず）により起動される。駆動装置６２は、結合歯車６８が導引表面８４に沿ってビデ２０の鉢体２２へ移動するようにさせる。駆動装置６２は噴射部品４０に固定接続されるので、噴射部品４０は駆動モジュール６２と同じの弓状経路に沿って移動し、これにより、噴射部品４０は、外へ、鉢体２２の中に伸び出す。噴射部品４０は図６に示す完全な伸び出し位置にある時に、駆動装置６２は停止する。選択可能に、駆動装置６２は、導引表面８４の任意の点に停止してもよく、これにより、噴射部品４０は、ニーズに従って多種の伸び出し位置を有するようになる。駆動装置６２は、信号を受信して起動される時に、噴射部品４０は引っ込め、これにより、駆動装置６２及び結合歯車６８は、噴射部品４０が伸び出している期間におけるそれらの回転方向と相反の方向に沿って回転する。結合歯車６８は、導引表面８４に沿って移動し鉢体２２から離れ、これにより、噴射部品４０は、ブラケット８２に向けて内へ引っ込める。噴射部品４０は、図７に示す完全な引っ込め位置にある時に、駆動装置６２は、停止する。選択可能に、駆動装置６２は、導引表面８４の任意の点に停止してもよく、これにより、噴射部品４０は、ニーズに応じて複数の引っ込め位置を有することができる。
【００２３】
図８は、１３０が付けられる噴射アセンブリの他の実施形態を総体的に示す。噴射アセンブリ１３０は、結合部品１６４により駆動装置１６２に固定接続される噴射部品４０を有する。駆動装置１６２は、結合部品１６４に接続されるアクチュエータである。結合部品１６４は、ブラケットモジュール１８０に結合される導引表面１８４内のピンである。駆動装置１６２は、固定表面１８６例えばブラケット又は筐体にピボット可能に接続される。
【００２４】
図９は、２３０が付けられる噴射アセンブリのもう一つの実施例形態を総体的に示す。噴射アセンブリ２３０は、取り付けブラケット７４により駆動装置２６２に固定接続される噴射部品４０を有する。駆動装置２６２は、手動操作駆動装置であり、例えば、駆動歯車２７０に接続される回転可能な取っ手である。駆動歯車２７０は、ブラケットモジュール８０の導引表面８４に結合される。駆動装置２６２は、手動により一つの方向に回転でき、これにより、噴射部品４０を伸び出すことができ、及び、手動により相反の方向に回転でき、これにより、噴射部品４０を引っ込めることができる。
【００２５】
理解すべきは、上述した実施形態の多くの修正は、当業者にとっては自明であり、このような修正は、例えば、噴射部品、駆動モジュール及び／又は他の部品の変形及び修正、ここで単独で開示の又は請求の範囲に開示の特徴の組合せ、これらの特徴を明確に含む付加の組合せ、または、選択可能な他の類の噴射アセンブリを含む。例えば、噴射アセンブリは、2つ以上の噴射部品又は駆動装置を有してもよい。また、材質及び配置の面においても、多くの可能な変形が存在する。これらの修正及び／又は組合せは、本発明の関連する技術の範囲に属し、また、請求の範囲にも含まれる。
【図１】
2013510966.tif 000003
【図２】
2013510966.tif 000004
【図３】
2013510966.tif 000005
【図４】
2013510966.tif 000006
【図５】
2013510966.tif 000007
【図６】
2013510966.tif 000008
【図７】
2013510966.tif 000009
【図８】
2013510966.tif 000010
【図９】
2013510966.tif 000011
【国際調査報告】
2013510966.tif 000012
2013510966.tif 000013
2013510966.tif 000014
2013510966.tif 000015
2013510966.tif 000016
2013510966.tif 000017